(57)【要約】【課題】絶縁体の品質を安定化させることができる構造であって、且つ、インピーダンスの整合性を維持することができるコネクタ、及びその製造方法を提供すること。【解決手段】板状のコンタクト１２と、コンタクト１２が圧入固定される固定孔３２が形成された絶縁体２０とを備えるコネクタ２において、固定孔３２は、少なくとも一部が断面十字状に形成される。【選択図】図６
2010198965.tif 000002
【特許請求の範囲】
【請求項１】
板状のコンタクトと、前記コンタクトが圧入固定される固定孔が形成された絶縁体とを備えるコネクタにおいて、
前記固定孔は、少なくとも一部が断面十字状に形成されるコネクタ。
【請求項２】
前記コンタクトは、信号を伝送する信号コンタクトであり、
前記固定孔は、前記信号コンタクトが圧入固定される信号コンタクト用固定孔である請求項１記載のコネクタ。
【請求項３】
少なくとも一部が断面十字状の突起が底面に植設された金型を用いて絶縁体を樹脂成形し、前記突起によって形成された固定孔に板状のコンタクトを圧入固定するコネクタの製造方法。
【発明の詳細な説明】
【技術分野】
【０００１】
本発明は、コネクタ、及びその製造方法に関し、特に、平衡伝送用コネクタ、及びその製造方法に関する。
【背景技術】
【０００２】
従来から、マザーボードとバックプレーンとを電気的に接続するコネクタ装置として、正負対称波形の信号を伝送する一対の信号コンタクトからそれぞれ構成される複数の信号コンタクト対と、隣り合う信号コンタクト対の間に１つずつ配置される複数のグランドコンタクトとを備えるプラグコネクタ及びジャックコネクタが知られている（例えば、特許文献１参照）。この構成によれば、隣り合う信号コンタクト対のクロストークを防止することができ、信号を高速で伝送することができる。
【特許文献１】特開２００５−１００９９４号公報
【発明の開示】
【発明が解決しようとする課題】
【０００３】
上記特許文献１記載の平衡伝送用コネクタは、複数の信号コンタクト及び複数のグランドコンタクトを互いに絶縁状態で支持する絶縁体を備える。絶縁体は、断面直線状の複数の固定孔を備え、複数の固定孔の各々には、断面直線状（板状）の複数の信号コンタクト及び複数のグランドコンタクトの各々が圧入固定される。この絶縁体は、金型を用いて樹脂成形される。金型内の底面には、断面直線状の複数の固定孔を樹脂成形するため、断面直線状（板状）の複数の突起が植設される。
【０００４】
この平衡伝送用コネクタでは、コンタクトの高密度化を図る場合、コンタクトを薄肉化するので、固定孔を樹脂成形する突起を薄肉化することになる。従って、固定孔を樹脂成形する部分の金型の強度が弱くなるので、絶縁体の品質が安定しないことがあった。特に、信号コンタクト用固定孔は、グランドコンタク用固定孔に比べて小さいので（通常、半分以下）、信号コンタクト用固定孔を樹脂成形する部分の金型の強度が弱くなる。
【０００５】
これに対し、信号コンタクト用固定孔を断面Ｔ字状に形成した構成が考えられる。この構成によれば、断面Ｔ字状の突起を用いて信号コンタクト用固定孔を樹脂成形するので、信号コンタクト用固定孔を樹脂成形する部分の金型の強度を高めることができる。よって、絶縁体の品質を安定化させることができる。また、この構成によれば、信号コンタクトとグランドコンタクトとの間に空間が存在するので、信号コンタクトとグランドコンタクトとの間の誘電率（比誘電率）を低減することができる。よって、インピーダンスを増加することができる。
【０００６】
しかし、この構成では、断面Ｔ字状の信号コンタクト用固定孔に断面直線状（板状）の信号コンタクトを圧入するので、信号コンタクトが軸周りに回転され、信号コンタクトとグランドコンタクトとの間の距離が変わることがある。従って、インピーダンスが変化してインピーダンス整合性が低下することがある。
【０００７】
本発明は、上記の点に鑑みてなされたものであって、絶縁体の品質を安定化させることができる構造であって、且つ、インピーダンスの整合性を維持することができるコネクタ、及びその製造方法を提供することを目的とする。
【課題を解決するための手段】
【０００８】
前記目的を達成するため、本発明は、板状のコンタクトと、前記コンタクトが圧入固定される固定孔が形成された絶縁体とを備えるコネクタにおいて、
前記固定孔は、少なくとも一部が断面十字状に形成される。
【発明の効果】
【０００９】
本発明によれば、絶縁体の品質を安定化させることができる構造であって、且つ、インピーダンスの整合性を維持することができるコネクタ、及びその製造方法が得られる。
【発明を実施するための最良の形態】
【００１０】
以下、図面を参照して、本発明を実施するための最良の形態の説明を行う。
【００１１】
図１は、本発明の平衡伝送用コネクタの一実施例を示す斜視図である。図２は、図１の矢視Ａ−Ａから見た、平衡伝送用コネクタ２と相手側コネクタとの接続形態を示す断面図である。図３は、図１の矢視Ｂ−Ｂから見た、平衡伝送用コネクタ２と相手側コネクタとの接続形態を示す断面図である。尚、図１−図６の各面中、Ｘ方向、Ｙ方向、及びＺ方向は、互いに直交する方向である。
【００１２】
平衡伝送用コネクタは、電算機、サーバー、交換機、コンピュータ等の電子機器を電気的に接続する装置である。例えば、平衡伝送用コネクタ２は、一の回路基板４（図２参照）に実装され、他の回路基板（図示せず）に実装された相手側コネクタ６に嵌合される。平衡伝送用コネクタ２と相手側コネクタ６とが嵌合されると、一の回路基板４と他の回路基板とが電気的に接続される。尚、平衡伝送用コネクタ２は、例えば図１に示すようにジャック型であってもよく、プラグ型であってもよい。
【００１３】
平衡伝送用コネクタ２は、図１に示すように、複数の信号コンタクト対１０と、複数のグランドコンタクト１６と、絶縁体２０とを備える。各信号コンタクト対１０は、列方向（Ｙ方向）に対向する一対の信号コンタクト１２、１４（図２参照）から構成される。複数の信号コンタクト対１０は、行方向（Ｘ方向）に所定間隔で配置される。複数のグランドコンタクト１６は、隣り合う信号コンタクト対１０の間に１つずつ配置される。絶縁体２０は、複数の信号コンタクト１２、１４及び複数のグランドコンタクト１６を互いに絶縁状態で支持する。
【００１４】
信号コンタクト対１０は、正負対称波形の信号を伝送するものである。信号コンタクト対１０を構成する一対の信号コンタクト１２、１４は、信号伝送時間が同一になるように、略同一形状に形成されてよい。一対の信号コンタクト１２、１４は、導電性の金属板を例えばプレス打ち抜き加工して形成される。
【００１５】
信号コンタクト１２、１４は、図２に示すように、板状の形状であって、相手側信号コンタクト６２、６４に接続される長手方向（Ｚ方向）一端の接続部１２ａ、１４ａと、回路基板４に実装される長手方向他端の実装部１２ｂ、１４ｂと、相手側信号コンタクト６２、６４と回路基板４との間で絶縁体２０に固着される固着部１２ｃ、１４ｃとを備える。
【００１６】
接続部１２ａ、１４ａは、固着部１２ｃ、１４ｃから長手方向に延びる腕部１２ｄ、１４ｄの先端に設けられる。また、実装部１２ｂ、１４ｂは、固着部１２ｃ、１４ｃから回路基板４に向けて長手方向に延設される。また、固着部１２ｃ、１４ｃは、Ｙ方向両側面に、脱落防止用の係止爪（図示せず）を備える。
【００１７】
平衡伝送用コネクタ２と相手側コネクタ６とが嵌合されると、信号コンタクト１２、１４と相手側信号コンタクト６２、６４とが接続される。この際、接続部１２ａ、１４ａが互いに反対方向（Ｙ方向）に押圧され、腕部１２ｄ、１４ｄが固着部１２ｃ、１４ｃを基準として弾性変形される（開脚される）。この弾性変形を元に戻そうとする復元力によって、接続部１２ａ、１４ａが相手側信号コンタクト６２、６４に確実に接続される。
【００１８】
グランドコンタクト１６は、隣り合う信号コンタクト対１０間のクロストークを防止するものである。クロストークを確実に防止するため、グランドコンタクト１６は、信号コンタクト対１０よりも大きな形状を有してよい。グランドコンタクト１６は、導電性の金属板を例えばプレス打ち抜き加工して形成される。
【００１９】
グランドコンタクト１６は、図３に示すように、板状の形状であって、相手側グランドコンタクト６６に接続される長手方向（Ｚ方向）一端の一対の接続部１６ａと、回路基板４に実装される長手方向他端の一対の実装部１６ｂと、相手側グランドコンタクト６６と回路基板４との間で絶縁体２０に固着される固着部１６ｃとを備える。
【００２０】
一対の接続部１６ａは、固着部１６ｃから二叉状に長手方向に延びる一対の腕部１６ｄの先端に設けられる。また、一対の実装部１６ｂは、固着部１６ｃから二叉状に長手方向に延設される。また、固着部１６ｃは、Ｙ方向両側面に、脱落防止用の係止爪（図示せず）を備える。
【００２１】
平衡伝送用コネクタ２と相手側コネクタ６とが嵌合されると、グランドコンタクト１６と相手側グランドコンタクト６６とが接続される。この際、一対の接続部１６ａが互いに反対方向に押圧され、一対の腕部１６ｄが固着部１６ｃを基準として弾性変形される（開脚される）。この弾性変形を元に戻そうとする復元力によって、一対の接続部１６ａが相手側グランドコンタクト６６に確実に接続される。
【００２２】
図４は、図１の絶縁体２０の構成を示す概略図であり、（ａ）は上面図、（ｂ）は（ａ）の矢視Ａ−Ａから見た断面図、（ｃ）は（ａ）の矢視Ｂ−Ｂから見た断面図である。
【００２３】
絶縁体２０は、図２−図４に示すように、相手側コネクタ６を脱離可能に嵌合する嵌合部２２と、複数の信号コンタクト１２、１４及び複数のグランドコンタクト１６を支持する支持部２４とを備える。
【００２４】
嵌合部２２は、例えば、図４に示すように、四角筒形状であって、内側に相手側コネクタ６を脱離可能に嵌合する。嵌合部２２内の４つの内壁面のうち、列方向に対向する一対の内壁面２２ａ、２２ｂには、行方向に沿って所定間隔で複数の溝部２６が形成される。各溝部２６は、断面形状が列方向に平行な直線状になるよう形成される。尚、本実施例の説明において、「断面形状」とは、Ｚ方向に垂直な断面における形状をいう。
【００２５】
各溝部２６内には、図２、図３に示すように、対応するコンタクト１２、１４、１６の腕部１２ｄ、１４ｄ、１６ｄが弾性変形可能に収容される。その状態で、腕部１２ｄ、１４ｄ、１６ｄの先端に設けられる接続部１２ａ、１４ａ、１６ａは、内壁面２２ａ、２２ｂよりも嵌合部２２の内側に突出している。
【００２６】
嵌合部２２の内側に相手側コネクタ６をＺ方向に挿入していくと、接続部１２ａ、１４ａ（一対の接続部１６ａ）が互いに反対方向に押圧される。そうすると、腕部１２ｄ、１４ｄ（一対の接続部１６ａ）が溝部２６内で弾性変形される（開脚される）。これに伴い、接続部１２ａ、１４ａ（一対の接続部１６ａ）が内壁面２２ａ、２２ｂに没入する方向に移動される。このようにして、嵌合部２２の内側に相手側コネクタ６が挿入される。
【００２７】
支持部２４は、例えば、図４に示すように、ブロック形状であり、複数の固定孔対３０と、複数のグランドコンタクト用固定孔３６とを備える。各固定孔対３０は、列方向に対向する一対の信号コンタクト用固定孔３２、３４から構成される。複数の固定孔対３０は、行方向に所定間隔で形成される。複数のグランドコンタクト用固定孔３６は、隣り合う固定孔対３０の間に１つずつ形成される。
【００２８】
各信号コンタクト用固定孔３２、３４は、その特徴的な構成として、図４（ａ）に示すように、一部の断面形状が行方向及び列方向に平行な十字状になるよう形成される。一方、各グランドコンタクト用固定孔３６は、断面形状が列方向に平行な直線状になるよう形成される。
【００２９】
信号コンタクト用固定孔３２、３４には、図２に示すように、信号コンタクト１２、１４の固着部１２ｃ、１４ｃが圧入固定される。また、グランドコンタクト用固定孔３６には、図３に示すように、グランドコンタクト１６の固着部１６ｃが圧入固定される。
【００３０】
各固定孔３２、３４、３６は、支持部２４をＺ方向に貫通して、嵌合部２２の対応する溝部２６に連続的につながる。従って、絶縁体２０に各コンタクト１２、１４、１６をＺ方向に挿入していくと、各固定孔３２、３４、３６には、対応する固着部１２ｃ、１４ｃ、１６ｃが圧入固定されると共に、各溝部２６には、対応する腕部１２ｄ、１４ｄ、１６ｄが弾性変形可能に収容される。この状態で、各コンタクト１２、１４、１６は、断面形状が列方向に平行な直線状になるように支持される。
【００３１】
図５は、図４の絶縁体２０の樹脂成形用金型の構成を示す一部断面図であり、（ａ）は第１金型４２の構成を示す上面図、（ｂ）は第２金型４４の構成を示す上面図である。樹脂成形用金型は、第１金型４２と第２金型４４とを備える。第１金型４２は、絶縁体２０の嵌合部２２に対応するものであり、第２金型４４は、絶縁体２０の支持部２４に対応するものである。第１金型４２と第２金型４４とは、分割面で組み合わされ一体として用いられる。樹脂成形用金型４２、４４内に溶融樹脂を充填し熱硬化させることにより、嵌合部２２と支持部２４とが一体として樹脂成形される。
【００３２】
第１金型４２は、図５（ａ）に示すように、四角筒形状の外枠４２ａと、中子４２ｂとを備える。中子４２ｂは、四角柱状である。中子４２ｂ外周の４つの外壁面のうち、列方向に対向する一対の外壁面には、行方向に沿って所定間隔で複数のリブ４２ｃが突設される。
【００３３】
リブ４２ｃは、溝部２６を形成するためのものである。各リブ４２ｃは、中子４２ｂの外壁面をＺ方向に縦断するように延設される。
【００３４】
第２金型４４は、図５（ｂ）に示すように、有底四角筒形状の容器４４ａを備える。容器４４ａ内の底面には、複数の突起対４４ｂと複数の第３突起４４ｃとが植設される。各突起対４４ｂは、列方向に対向する一対の第１突起４４ｂ−１、第２突起４４ｂ−２から構成される。複数の突起対４４ｂは、行方向に所定間隔で配置される。複数の第３突起４４ｃは、隣り合う突起対４４ｂの間に１つずつ配置される。
【００３５】
各突起４４ｂ−１、４４ｂ−２、４４ｃは、容器４４ａ内をＺ方向に縦断するように延設され、第１金型４２と第２金型４４とが分割面で組み合わされた状態で、対応するリブ４２ｃに連続的につながる。
【００３６】
第１、第２突起４４ｂ−１、４４ｂ−２は、一部が断面十字状の信号コンタクト用固定孔３２、３４を形成するためのものである。従って、第１、第２突起４４ｂ−１、４４ｂ−２は、図５（ｂ）に示すように、一部の断面形状が行方向及び列方向に平行な十字状になるように形成される。一部が断面十字状の第１、第２突起４４ｂ−１、４４ｂ−２は、従来の断面直線状（板状）の第１、第２突起に比べて、強度が高い。
【００３７】
一方、第３突起４４ｃは、断面直線状のグランド用固定孔３６を樹脂成形するものである。従って、第３突起４４ｃは、図５（ｂ）に示すように、断面形状が列方向に平行な直線状になるように形成される。
【００３８】
このように、本実施例の平衡伝送用コネクタ２によれば、信号コンタクト用固定孔３２、３４の断面形状が十字状であるので、信号コンタクト用固定孔３２、３４を成形する部分の金型４４の強度を高めることができる。これにより、絶縁体２０の品質を安定化させることができる。
【００３９】
図６は、図１の矢視Ｃ−Ｃから見た、信号コンタクト用固定孔に信号コンタクトを圧入固定させた状態例を示す断面図であり、（ａ）は本実施例の状態を示す断面図、（ｂ）は従来例の状態を示す断面図、（ｃ）は（ａ）の変形例の状態を示す断面図である。尚、図６では、固定孔対３０の一方の信号コンタクト用固定孔３２に、信号コンタクト対１０の一方の信号コンタクト１２を圧入固定させた状態例を示すが、他方の信号コンタクト用固定孔３４に、他方の信号コンタクト１４を圧入固定させた状態例は、図６と同様であるので、図示を省略する。
【００４０】
本実施例では、図６（ａ）に示すように、一部が断面十字状の信号コンタクト用固定孔３２に断面直線状（板状）の信号コンタクト１２を圧入固定させるので、信号コンタクト１２の断面長手方向（Ｙ方向）両端の移動が規制され、信号コンタクト１２の軸周りの回転が規制される。これにより、信号コンタクト１２とグランドコンタクト１６との距離Ｄを維持することができ、インピーダンスの整合性を維持することができる。
【００４１】
一方、従来例では、図６（ｂ）に示すように、断面Ｔ字状の信号コンタクト用固定孔１３２に断面直線状（板状）の信号コンタクト１２を圧入固定させるので、信号コンタクト１２の断面長手方向（Ｙ方向）一端が行方向に移動して、信号コンタクト１２が軸周りに回転することがある。従って、信号コンタクト１２とグランドコンタクト１６との間の距離Ｄが変わり、インピーダンスが変化してインピーダンスの整合性が低下することがある。
【００４２】
図６（ｃ）に示す変形例では、図６（ａ）に示す本実施例と比較して、信号コンタクト１２とグランドコンタクト１６との間に存在する空間Ｓが行方向に拡張されるように、固定孔２３２が行方向に拡張される。これにより、信号コンタクト１２とグランドコンタクト１６との間の誘電率（比誘電率）を更に低減することができ、インピーダンスを更に増加することができる。尚、図６（ｃ）に示す変形例では、図６（ａ）に示す本実施例と同様に、信号コンタクト１２の軸周りの回転が規制され、インピーダンスの整合性を維持することができる。
【００４３】
一方、図６（ｂ）に示す従来例では、仮に信号コンタクト１２とグランドコンタクト１６との間に存在する空間Ｓを行方向に拡張すると、信号コンタクト１２が軸周りに更に回転して、信号コンタクト１２とグランドコンタクト１６との間の距離Ｄが変わることがある。従って、インピーダンスが変化してインピーダンスの整合性が更に低下することがある。
【００４４】
以上説明したように、本実施例の平衡伝送用コネクタ２によれば、信号コンタクト用固定孔３２、３４の少なくとも一部の断面形状が十字状であるので、断面直線状（板状）の信号コンタクト１２、１４の軸周りの回転を規制することができる。これにより、信号コンタクト１２、１４とグランドコンタクト１６との距離Ｄを維持することができ、インピーダンスの整合性を維持することができる。
【００４５】
また、信号コンタクト用固定孔３２、３４の少なくとも一部の断面形状が十字状であるので、断面直線状の信号コンタクト１２、１４の軸周りの回転を規制すると共に、信号コンタクト１２、１４とグランドコンタクト１６との間に存在する空間Ｓを行方向に拡張することができる。これにより、信号コンタクト１２、１４とグランドコンタクト１６との間の誘電率（比誘電率）を低減することができ、インピーダンスを更に増加することができる。
【００４６】
以上、本発明の好ましい実施例について詳説したが、本発明は、上述した実施例に制限されることはなく、本発明の範囲を逸脱することなく、上述した実施例に種々の変形及び置換を加えることができる。
【００４７】
例えば、上述の実施例では、コネクタ２は、複数のグランドコンタクト１６及び複数のグランドコンタクト用固定孔３６を備えるとしたが、本発明はこれに限定されない。例えば、本発明のコネクタは、複数のグランドコンタクト１６及び複数のグランドコンタクト用固定孔３６を備えなくてもよい。
【００４８】
この場合、信号コンタクト用固定孔３２、３４の少なくとも一部の断面形状が十字状であるので、信号コンタクト用固定孔３２、３４を成形する部分の金型４４の強度を高めることができる。これにより、絶縁体２０の品質を安定化させることができる。
【００４９】
また、この場合、信号コンタクト用固定孔３２の少なくとも一部の断面形状が十字状であるので、断面直線状（板状）の信号コンタクト１２の軸周りの回転を規制することができる。これにより、隣り合う信号コンタクト対１０の間の距離を維持することができ、インピーダンスの整合性を維持することができる。
【００５０】
更に、この場合、信号コンタクト用固定孔３２の少なくとも一部の断面形状が十字状であるので、信号コンタクト１２の周囲に存在する空間Ｓを行方向に拡張することができる。これにより、信号コンタクト１２の周囲の誘電率（比誘電率）を低減することができ、インピーダンスを更に増加することができる。
【００５１】
また、上述の実施例では、グランドコンタクト用固定孔３６は、断面形状が列方向に平行な直線状になるよう形成されるとしたが、本発明はこれに限定されない。例えば、グランドコンタクト用固定孔３６は、少なくとも一部の断面形状が行方向及び列方向に平行な十字状になるよう形成されてもよい。
【００５２】
この場合、グランドコンタクト用固定孔３６を樹脂成形する第３突起４４ｃは、少なくとも一部の断面形状が行方向及び列方向に平行な十字状になるように形成される。従って、グランドコンタクト用固定孔３６を樹脂成形する部分の金型４４の強度を高めることができ、絶縁体２０の品質を安定化させることができる。
【図面の簡単な説明】
【００５３】
【図１】本発明の平衡伝送用コネクタの一実施例を示す斜視図である。
【図２】図１の矢視Ａ−Ａから見た、平衡伝送用コネクタ２と相手側コネクタとの接続形態を示す断面図である。
【図３】図１の矢視Ｂ−Ｂから見た、平衡伝送用コネクタ２と相手側コネクタとの接続形態を示す断面図である。
【図４】図１の絶縁体２０の構成を示す概略図である。
【図５】図４の絶縁体２０の樹脂成形用金型の構成を示す一部断面図である。
【図６】図１の矢視Ｃ−Ｃから見た、信号コンタクト用固定孔に信号コンタクトを圧入固定させた状態例を示す断面図である。
【符号の説明】
【００５４】
２    平衡伝送用コネクタ
１０    信号コンタクト対
１２、１４    信号コンタクト
１６    グランドコンタクト
２０    絶縁体
３０    固定孔対
３２、３４    信号コンタクト用固定孔
３６    グランドコンタクト用固定孔
４２、４４    金型
４４ｂ    突起対
４４ｂ−１    第１突起
４４ｂ−２    第２突起
４４ｃ    第３突起
【図１】
2010198965.tif 000003
【図２】
2010198965.tif 000004
【図３】
2010198965.tif 000005
【図４】
2010198965.tif 000006
【図５】
2010198965.tif 000007
【図６】
2010198965.tif 000008